(57)【要約】【課題】  カッターローラにおける山刃部と谷刃部から切断した麺線を簡単に剥離することができる製麺類の切断装置を提供する。【解決手段】  山刃部３ａと谷刃部３ｂとからなる櫛刃状の切断刃を備えた一対のカッターローラ１Ａを、その山刃部３ａと谷刃部３ｂを交互に噛合させた状態で相対向して圧延された麺帯を所定の幅に連続して切断する製麺類の切断装置であって、カッターローラ１Ａのローラ本体部２内の軸方向にはエアー供給源に連通されるエアー通路４を形成し、一方がエアー通路４に連通されかつ他方が前記谷刃部３ｂの刃面側に貫通されたエアー噴出し路６を形成して、ローラ本体部２の内部から谷刃部３ｂの刃面側に指向してエアーを噴出すように構成する。【選択図】  図３  
2005341897.tif 000002
【特許請求の範囲】
【請求項１】
山刃部と谷刃部とからなる櫛刃状の切断刃を備えた一対のカッターローラにおいて、その噛合部位に麺帯の供給側若しくは取り出し側にエアー供給ノズルを配置し、該エアー供給ノズルをその噛合部に指向してエアーを照射するように構成したことを特徴とする製麺類の切断装置。
【請求項２】
山刃部と谷刃部とからなる櫛刃状の切断刃を備えた一対のカッターローラを、その山刃部と谷刃部を交互に噛合させた状態で相対向して圧延された麺帯を所定の幅に連続して切断する製麺類の切断装置であって、前記カッターローラのローラ本体部内の軸方向にはエアー供給源に連通されるエアー通路を形成し、該一方が該エアー通路に連通されかつ他方が前記谷刃部の刃面側に貫通されたエアー噴出し路を形成して、前記ローラ本体部の内部から谷刃部の刃面側に指向してエアーを噴出すように構成してなるを特徴とする製麺類の切断装置。
【請求項３】
請求項２記載の製麺類の切断装置であって、前記エアー噴出し路は、前記谷刃部の周面に対し所定の間隔をおいて複数個形成してなるを特徴とする製麺類の切断装置。
【請求項４】
請求項２記載の製麺類の切断装置であって、前記谷刃部の底部周面に沿って凹溝を形成し、該凹溝内に前記エアー噴出し路の開口部を位置してなるを特徴とする製麺類の切断装置。
【請求項５】
請求項２または４記載の製麺類の切断装置であって、前記ローラ本体部のエアー通路には、前記エアー噴出し路における有効使用領域のエアー噴出し路にエアーを案内するように軸方向の一部が開口された案内手段を前記エアー通路の軸方向に沿って内蔵してなるを特徴とする製麺類の切断装置。
【発明の詳細な説明】
【技術分野】
【０００１】
本発明は、うどん、ラーメン、そば等の麺類（本明細書では、これらを総称して製麺類という）の麺帯成形装置に装備される製麺類の切断装置に関する。
【背景技術】
【０００２】
一般に、この種の麺帯成形装置に装備される製麺類の切断装置においては、山刃部と谷刃部とからなる櫛刃状の一対のカッターローラを、その山刃部と谷刃部とが交互に噛合する状態で対向して装設して、この一対のカッターローラにより麺生地を所定の厚さに圧延した麺帯から製品麺としての麺線を得るべき所定幅に連続して切断するように構成されていた（特許文献１参照）。
【０００３】
【特許文献１】特開平６−１７８６４２号公報
【発明の開示】
【発明が解決しようとする課題】
【０００４】
しかしながら、上記の切断装置にあっては、一対のカッターローラにおける山刃部と谷刃部との噛合によって麺帯を切断するものであるから、その切刃の状態によっては切断された麺線が該山刃部と谷刃部に付着して剥離されない場合や該カッターローラの谷刃部の周面に巻きつく場合が往々にして生起していた。
この状態を解消するために、一対のカッターローラに対し、山刃部と谷刃部に接触するスクレーパー手段をそれぞれ設けているのが現状であるが、該山刃部及び谷刃部とスクレーパー手段との接触による磨耗カス（この場合は、スクレーパー手段に対して山刃部及び谷刃部が磨耗するようにその材質が設定されている）や麺帯（麺線）の切断カスが生起し、これが麺帯に混入した場合には製品として使用できなくなる。
また、実際にはスクレーパー手段と山刃部及び谷刃部との接触圧を相当強く設定するために前記磨耗カスの発生を助長する問題も多々生じ、さらに、山刃部及び谷刃部の両方にスクレーパー手段を接触させることは高度な技術力を要することと、理想的は切断状態を求めてそれぞれ噛合う山刃部と谷刃部との間に均等は隙間を設けることも高度な技術力を要すること等から、その隙間を若干広く設定して前記山刃部及び谷刃部に対するスクレーパー手段の接触状態や山刃部と谷刃部と噛合状態を得るようにしていたが、この山刃部と谷刃部との噛合隙間を若干広く設定した場合には、その噛合隙間により麺帯の切断時に細かい切断カスが多く発生する原因となり、前述と同様に、これが麺帯（麺線）に混入した場合には製品として使用できなくなる等種々に問題を有していた。
そこで、本発明は、カッターローラにおける山刃部と谷刃部から切断した麺線を簡単に剥離することができる製麺類の切断装置を提供することにある。
【課題を解決するための手段】
【０００５】
上記した課題は、各請求項記載の発明によって解決される。
請求項１記載の発明は、山刃部と谷刃部とからなる櫛刃状の切断刃を備えた一対のカッターローラにおいて、その噛合部位に麺帯の供給側若しくは取り出し側にエアー供給ノズルを配置し、該エアー供給ノズルをその噛合部に指向してエアーを照射するように構成したことを要旨とする。
【０００６】
この発明にあっては、エアー供給ノズルから一対のカッターローラの噛合部に指向してエアーを照射することによって、カッターローラにおける山刃部及び谷刃部と切断された麺線（製品となるべき麺）との剥離が、スクレーパー手段を用いることなく、簡単かつ容易に行うことができる。
【０００７】
請求項２記載の発明は、山刃部と谷刃部とからなる櫛刃状の切断刃を備えた一対のカッターローラを、その山刃部と谷刃部を交互に噛合させた状態で相対向して圧延された麺帯を所定の幅に連続して切断する製麺類の切断装置であって、前記カッターローラのローラ本体部内の軸方向にはエアー供給源に連通されるエアー通路を形成し、該一方が該エアー通路に連通されかつ他方が前記谷刃部の刃面側に貫通されたエアー噴出し路を形成して、前記ローラ本体部の内部から谷刃部の刃面側に指向してエアーを噴出すように構成してなるを要旨とする。
【０００８】
この発明によれば、一対のカッターローラにおける互いの山刃部と谷刃部との噛合により麺帯を所定の幅に連続して切断するに際し、エアー通路内に供給されたエアーがエアー噴出し路を経てローラ本体部の内部から谷刃部の刃面側に指向して噴出すことによって、該噴出されたエアーをその谷刃部の刃面周面にわたって当てることができる。
これによって、カッターローラにおける山刃部及び谷刃部と切断された麺線（製品となるべき麺）との剥離が、スクレーパー手段を用いることなく、簡単かつ容易に行うことができる。
【０００９】
請求項３記載の発明は、請求項２記載の製麺類の切断装置であって、前記エアー噴出し路は、前記谷刃部の周面に対し所定の間隔をおいて複数個形成してなるを要旨とする。
【００１０】
この発明によれば、谷刃部の刃面全周面に対するエアーの噴出しを良好になし得、カッターローラにおける山刃部及び谷刃部と切断された麺線（製品となるべき麺）との剥離効果をさらに助長することができる。
【００１１】
請求項４記載の発明は、請求項２記載の製麺類の切断装置であって、前記谷刃部の底部周面に沿って凹溝を形成し、該凹溝内に前記エアー噴出し路の開口部を位置してなるを要旨とする。
【００１２】
この発明によれば、エアー噴出し路から噴出されたエアーを凹溝に沿って谷刃部の底部周面わたって導くことができるので、谷刃部の刃面全周面に対するエアーの噴出しを良好になし得、カッターローラにおける山刃部及び谷刃部と切断された麺線（製品となるべき麺）との剥離効果を一層助長することができる。
【００１３】
請求項５記載の発明は、請求項２または４記載の製麺類の切断装置であって、前記ローラ本体部のエアー通路には、前記エアー噴出し路における有効使用領域のエアー噴出し路にエアーを案内するように軸方向の一部が開口された案内手段を前記エアー通路の軸方向に沿って内蔵してなることを要旨とする。
【００１４】
この発明によれば、エアー噴出し路における有効使用領域のエアー噴出し路からのみのエアーの噴出しを可能とすることができるので、効果的なエアーの噴出しを図ることができる。
【発明を実施するための最良の形態】
【００１５】
次に、本発明を実施するための最良の形態について、実施例にしたがって説明する。
【実施例】
【００１６】
図１〜図４に示すように、麺帯成形装置（図示しない）に装備される製麺類の切断装置は、一対のカッターローラ１Ａ、１Ａを主体として構成されており、このカッターローラ１Ａを構成する軸状のローラ本体部２には、その外周面の周方向の山刃部３ａと谷刃部３ｂとを軸線方向に交互に配置した櫛刃状の切断刃３が形成されていて、その中心軸方向にエアー通路４が形成されている。
【００１７】
なお、このエアー通路４の両端側は所望の閉塞手段（図示しない）により閉塞されるとともに、一方側端部には、エアー接続継手（図示しない）を介してエアー供給源（図示しない）に接続されるように構成されている。また、前記一対のカッターローラ１Ａ、１Ａは、互いの山刃部３ａと谷刃部３ｂとを所定の噛合い隙間（刃幅方向と深さ方向）をおいて噛合するように相対向状態で装設されるものである。
【００１８】
前記櫛刃状の切断刃３における谷刃部３ｂには、図５に示すように、その底部の周面に沿って所望の断面形状（本実施例ではＶ字状の場合を示す）の凹溝５が形成されている。
【００１９】
図３及び図４に示すように、前記ローラ本体部２における谷刃部３ｂの底部周面と前記エアー通路４との間には、一方が該エアー通路４に連通されかつ他方が該谷刃部３ｂの底部周面の凹溝５に臨む複数個（本実施例では８個〜１２個が望ましい）のエアー噴出し路６〜６が該エアー通路４を中心とする放射方向に貫設されている。しかして、エアー通路４内に供給されたエアーは、ローラ本体部２の内部からエアー噴出し路６〜６を経て谷刃部３ｂの刃面側（周面）に指向してエアーを噴出されるものである。なお、谷刃部３ｂの底部周面の凹溝５内に臨むエアー噴出し路６〜６の開口部６ａ〜６ａは該凹溝５の中心部位に位置することが望ましい。
【００２０】
そして、前記ローラ本体部２におけるエアー通路４内の軸方向には、その軸方向の一部が開口７ａされた断面ほぼＣ形状の案内部材（請求項４における案内手段に相当する）７が該エアー通路４の内壁と所定の間隔をおいて装設されている。
【００２１】
この案内部材７は、その両端部が前記エアー通路４の両端側は所望の閉塞手段（図示しない）に密接状態で装設されるものであり、その内部に前記エアー供給源（図示しない）からのエアーが供給されるとともに、供給されたエアーを開口７ａを経てエアー通路４内に導入、すなわち、主に該開口７ａに対向するエアー噴出し路６〜６に導入するように構成されている。
【００２２】
上述のように構成された切断装置は、図１及び図２に示すように、互いの山刃部３ａと谷刃部３ｂとを所定の噛合い隙間（刃幅方向と深さ方向）をおいて噛合するように相対向させた状態の一対のカッターローラ１Ａ、１Ａを、図２に示す矢印方向に回転させて、その噛合部位を通過する麺帯Ｗを、その山刃部３ａと谷刃部３ｂとにより切断して所定の麺線Ｗ１を得るものである。この場合、得られる麺線Ｗ１の幅は、山刃部３ａと谷刃部３ｂの刃幅により設定されるものである。
【００２３】
そして、上記のように麺帯Ｗを切断して麺線Ｗ１を得るに際し、その切断時において、エアー供給源からエアー通路４内に供給されているエアーが各エアー噴出し路６〜６を経てローラ本体部２の内部から谷刃部３ｂの刃面側に指向して噴出されてその谷刃部３ｂの刃面周面にわたって吹き付けることができる。
【００２４】
この吹き付けられるエアーによって、カッターローラ１Ａにおける山刃部３ａと谷刃部３ｂ、とくに、谷刃部３ｂと切断された麺線Ｗ１（製品となるべき麺）との剥離が容易に行うことができるものであり、切断された麺線Ｗ１が谷刃部３ｂに付着したり、また谷刃部３ｂの周面に巻きついたりすることを未然に防止することができる。
【００２５】
この場合、エアー通路４内の軸方向には、その軸方向の一部が開口７ａされた断面ほぼＣ形状の案内部材７が該エアー通路４の内壁と所定の間隔をおいて装設されているので、エアー供給源（図示しない）からのエアーは、一旦その内部に供給されるとともに供給されたエアーを開口７ａを経てエアー通路４内に導入、すなわち、主に、該開口７ａに対向するエアー噴出し路６〜６に導入するようになる。
【００２６】
このことは、図４に示すように、エアー噴出し路６〜６における有効使用領域の該エアー噴出し路６〜６からのみのエアーの噴出しを可能とすることができるので、効果的なエアーの噴出しを図ることができる。
【００２７】
また、本実施例は、図５に示すように、エアー噴出し路６〜６の開口部６ａから噴出されたエアーを凹溝５に沿って谷刃部３ｂの底部周面の全域わたって導くことができるので、該谷刃部３ｂの刃面全周面に対するエアーの噴出しを良好になし得、カッターローラ１Ａにおける山刃部３ａ及び谷刃部３ｂと切断された麺線Ｗ１（製品となるべき麺）との剥離効果を一層助長することができる。
【００２８】
本実施例においては、切断刃３における山刃部３ａ及び谷刃部３ｂの形状を図示の角刃に限定するものではなく、得るべき麺線に対応して図６（ａ）（ｂ）（ｃ）に示すように、丸刃による麺線の断面３ｃ、３ｄ，薄刃による麺線の断面３ｅ、３ｆ，面取り刃による麺線の断面３ｇ、３ｈ等を種々選択して使用することができる。
【００２９】
また、図７に示すように、一対のカッターローラにおいて、その噛合部位に麺帯の供給側若しくは取り出し側（この場合は供給側を示す）にエアー供給源（図示しない）に接続されたエアー供給ノズル２０、２０を配置し、該エアー供給ノズル２０、２０をその噛合部に指向してエアーを照射するように構成することもでき、この場合も前述と同様に、カッターローラにおける山刃部及び谷刃部と切断された麺線（製品となるべき麺）との剥離が、スクレーパー手段を用いることなく、簡単かつ容易に行うことができる。
【図面の簡単な説明】
【００３０】
【図１】本発明の一実施例の形態に係るカッターローラの平面図である。
【図２】本発明の一実施例の形態に係るカッターローラ側面図である。
【図３】図２のＡ−Ａ線拡大断面図である。
【図４】図３のＢ−Ｂ線断面図である。
【図５】谷刃部における凹溝の拡大図である。
【図６】各麺線の断面を示す説明図である。
【図７】本発明の別実施例の形態に係る説明図である。
【符号の説明】
【００３１】
１    カッターローラ
２    ローラ本体部
３ａ  山刃部
３ｂ  谷刃部
４    エアー通路
６    エアー噴出し路
２０  エアー供給ノズル
【図１】
2005341897.tif 000003
【図２】
2005341897.tif 000004
【図３】
2005341897.tif 000005
【図４】
2005341897.tif 000006
【図５】
2005341897.tif 000007
【図６】
2005341897.tif 000008
【図７】
2005341897.tif 000009